(57)【要約】【課題】簡単な構造で故障も少なくかつ発光による装飾効果を高めた遊技用媒体収納箱を提供すること。【解決手段】パチンコ球４００を用いて遊技を行う遊技機の備品として備えられ、底面部１０１と側面部１０３とを有しかつ上方に開放され、パチンコ球４００を上方から収納するドル箱１０であって、少なくとも前記底面部１０１には、衝撃が与えられると発電する圧電バイモルフ４０及び発光ダイオード５０を互いに接続し、板状に形成した発光部材３０が設けられていることを特徴とする。【選択図】図１
2006187512.tif 000002
【特許請求の範囲】
【請求項１】
遊技用媒体を用いて遊技を行う遊技機の備品として備えられ、底面部と側面部とを有しかつ上方に開放され、前記遊技用媒体を上方から収納する遊技用媒体収納箱であって、
少なくとも前記底面部には、衝撃が与えられると発電する圧電バイモルフ及び発光ダイオードが互いに接続されかつ板状を呈する発光部材が設けられていることを特徴とする遊技用媒体収納箱。
【請求項２】
前記発光部材を前記底面部に組み付けたときに、前記発光ダイオードが前記側面部側を向く位置関係になるように前記発光部材が前記底面部に取り付けられていることを特徴とする請求項１に記載の遊技用媒体収納箱。
【請求項３】
前記側面部には光ファイバーが設けられ、この光ファイバーの端部が前記発光ダイオードに対して受光可能に配置されていることを特徴とする請求項１又は２に記載の遊技用媒体収納箱。
【請求項４】
前記発光部材を前記底面部に円状又は弧状に組み付けたことを特徴とする請求項３に記載の遊技用媒体収納箱。
【発明の詳細な説明】
【技術分野】
【０００１】
本発明は、パチンコホール等に設置されている、パチンコ遊技機等の遊技機で使用するパチンコ球その他の遊技用媒体を入れて置く遊技用媒体収納箱に関する。
【背景技術】
【０００２】
周知のようにパチンコ遊技機の遊技盤上に発射された遊技球が入賞領域に入賞すると賞球払出装置から所定数の賞球がパチンコ機前面の打球供給皿に払い出される。
【０００３】
そして、払い出された賞球が打球供給皿及びこれの下部に設けられた下部球受皿に充満して一杯になると、遊技客はパチンコ遊技店に備品として用意されている遊技用媒体収納箱いわゆるドル箱に、下部球受皿の底面部に設けられている球抜き口を開いて落とす。
【０００４】
このため遊技用媒体収納箱は、上方に開放された中空容器とされている。なおドル箱はプラスチック製のものが多い。
【０００５】
パチンコ遊技者にとって、球受皿からこの遊技用媒体収納箱に金属製のパチンコ球が落下した時に遊技用媒体収納箱の底面部に衝突して奏でられる怒濤の如き勢いの衝突音は、優越感に惹かれ快感に近いものがある。
【０００６】
この衝突音により、遊技者は快感を覚えるが、これまでの遊技用媒体収納箱は、単にパチンコ球を収納するためだけに使用されるものでしかなかった。
【０００７】
一方、遊技用媒体収納箱は金属製のパチンコ球が落下する関係上、パチンコ球を収納する時に受ける衝撃力に耐えられるように、その構造は、頑丈かつシンプルな構造のものにせざるを得なかった。
【０００８】
若し、このような単純で構造簡単な遊技用媒体収納箱に他の機能を備えることができれば非常に興趣が増す。
なお、遊技用媒体収納箱についての従来技術としては、例えば特許文献１を挙げられる。
【特許文献１】特開平８−３３２２７５
【発明の開示】
【発明が解決しようとする課題】
【０００９】
本発明は、このような事情に鑑みてなされたものであり、その解決しようとする課題は、装飾機能を発揮するが、簡単構造で故障も少ない遊技用媒体収納箱を提供することにある。
【課題を解決するための手段】
【００１０】
本発明は、遊技用媒体を用いて遊技を行う遊技機の備品として備えられ、底面部と側面部とを有しかつ上方に開放され、前記遊技用媒体を上方から収納する遊技用媒体収納箱であって、少なくとも前記底面部には、衝撃が与えられると発電する圧電バイモルフ及び発光ダイオードが互いに接続されかつ板状を呈する発光部材が設けられていることを特徴とする。
【００１１】
ここで圧電バイモルフについて簡単に説明すると、２枚のセラミックスを貼り合わせ、それぞれのセラミックスに外力を与えることで起電力が得られる構造体をバイモルフとい
い、バイモルフに上から力を加えると、上側のセラミックスは伸び、下側のセラミックは縮む変化を生じ、この時一定方向の起電力が発生する。
【００１２】
しかし、外力が加えられてセラミックスが押されたままの状態では２枚のセラミックスはそれぞれ伸びたまま、または縮んだままであり、形状として変化しないので、起電力は発生しない。
【００１３】
このようにバイモルフに外力が加わっている状態から外力を解くと、２枚のセラミックスは元に戻ろうと変位を生じ、そのため起電力が発生する。
【００１４】
しかしながら、この時はバイモルフに外力が加わっている状態とは反対に上側のセラミックスは縮み、下側のセラミックは伸びる変化を生じるので、起電力の向きは逆向きになる。
【００１５】
このような力のかけ方により、圧電バイモルフと接続された発光ダイオードは、起電力の向きにより交互に点灯するようになる。
【００１６】
圧電バイモルフは、衝撃に強く衝撃を与えると発電し、衝撃が強いほど明るく光るという特性を有する。
【００１７】
また、青・赤・緑・白の発光ダイオードを用いることで幻想的な色調にすることができる。
【００１８】
本発明によれば、遊技球が遊技用媒体収納箱に衝突した際に発生する固有振動を利用して、自ら発光する遊技用媒体収納箱を提供することができる。
【００１９】
また、発光部材は衝撃に強い圧電バイモルフを利用するものであるから、遊技媒体の収容時に遊技媒体が当たって衝撃を受ける遊技用媒体収納箱への適用としては好適である。
【発明の効果】
【００２０】
本発明の遊技用媒体収納箱は、その底面部に、圧電バイモルフ及び発光ダイオードを接続して板状にしただけの簡単な構造の発光部材が設けられているから、配線を伴う必要がない。よって発光による装飾効果を奏しながらも故障し難くなる。
【００２１】
また、構造が簡単であるから点検作業および保守作業も不要である。
【００２２】
さらに、パチンコ球が落下した時に発生する衝突音に加えて、発光ダイオードの発光により興趣が高まる。
【発明を実施するための最良の形態】
【００２３】
図面を参照しながら、本発明による遊技用媒体収納箱１０の好適な実施形態の構成を説明する。
（第１の実施の形態）
【００２４】
図１や図２に示すように、遊技用媒体収納箱１０は、遊技用媒体、例えばパチンコ遊技機のパチンコ球を収納する場合の箱体（以下、ドル箱）として利用され、その場合、パチンコ遊技機の備品として、パチンコ店に備えられている。
【００２５】
ドル箱１０は、上方に開放された中空箱体であって、底面部１０１と４枚の側面部１０３とを有しかつ、前記底面部１０１には、その一方の側面部１０３側にのみ発光部材３０
を複数取り付けてあり、こちらが正面となって遊技者側に向けられる。
【００２６】
なお、符号１０５は左右に設けられた取っ手である。
【００２７】
発光部材３０は、周知のように、衝撃を与えると発電する圧電バイモルフ４０と複数の発光ダイオード５０とを電気的に接続し、両者を樹脂で固めて板状に形成したものである（図３および図４参照）。
【００２８】
なお、この実施例では発光ダイオード５０を２つ並列して設けてある。
【００２９】
また、底面部１０１は、幾分厚底とされている。そして、発光部材３０が埋設される矩形状の埋設穴３２が、発光部材３０の数に合わせて設けられている。埋設穴３２には、発発光ダイオード５０が外側を向くようにして発光部材３０は入れられる。
【００３０】
発光部材３０を埋設したときに発光ダイオード５０が埋設穴３２の開口に臨むように埋設穴の長さ寸法は設定されている。
【００３１】
発光部材３０は、埋設穴３２に適当な接着剤を使用して強固に取り付けても良いし、単に圧入するだけで両者が結合するように、埋設穴３２の径よりも発光部材３０の径を幾分大きめに形成し、締まり嵌めとしてもよい。
【００３２】
このような構成の遊技用媒体収納箱１０によれば、底面部１０１に埋設した発光部材３０に図２のようにパチンコ球４００が衝突すると、発光部材３０を構成する圧電バイモルフ４０は、衝撃に強いばかりか、衝撃を与えると発電し、その衝撃力が強いほど明るく発光する。
【００３３】
また、青・赤・緑・白の発光ダイオードを用いることで幻想的な色調にすることができる。よって興趣が高まる。
【００３４】
遊技用媒体収納箱１０は、その構成部材の底面部１０１に、圧電バイモルフ４０及び発光ダイオード５０を接続して板状に成形しただけの簡単な構造の発光部材３０を埋設しただけのものであるから、配線が不要である。よって発光による装飾効果を奏しながらも故障し難い。このため点検作業や保守作業が容易になる。
【００３５】
なお、この実施形態１では、ドル箱１０の底面部１０１の半分にのみ発光部材３０を埋設して、ドル箱１０の正面側のみに発光による装飾効果をもたらすものを示したが、ドル箱１０の裏面側でも装飾効果を奏するように、底面部１０１の残り半分にも発光部材３０を埋設してもよい。
（第２の実施の形態）
【００３６】
次に図５を参照して第２の実施の形態に係るドル箱１０Ａを説明する。
ドル箱１０Ａが第１の実施の形態に係るドル箱１０と相違する点は、側面部１０３に光ファイバー６０が設けられ、この光ファイバー６０の一端が発光ダイオード５０に対して受光可能に配置された点にある。よって第１の実施の形態に係るドル箱１０と同一部分には同一符号を付して説明を省略する。
【００３７】
光ファイバー６０は、発光ダイオード５０と対応関係にある側面部１０３において鉛直方向に延ばされている。
【００３８】
この実施形態では、発光部材３０に発光ダイオード５０が２つ設けられているとともに
、発光部材３０が８つ直列されているので、発光ダイオード５０が点灯したときには、側面部１０３には鉛直方向に延びる１６本の光線が表出する。ただし、パチンコ球が一様に発光部材３０に衝突するわけではないので、一様には点灯しない。よって変化に富んでいる。
【００３９】
この第２の実施の形態に係るドル箱１０Ａにあっても第１の実施の形態に係るドル箱１０と同様、簡単構造で故障も少なくかつ発光による装飾効果を発揮することができる。
【００４０】
また、この第２の実施形態の場合にあってもドル箱１０Ａの側面部１０３のうち正面側および裏面側で発光するように光ファイバー６０および発光部材３０を設けてもよいのは勿論である。
（第３の実施の形態）
【００４１】
次に図６を参照して第３の実施の形態に係るドル箱１０Ｂを説明する。
ドル箱１０Ｂが第２の実施の形態に係るドル箱１０Ａと相違する点は、発光部材３０を底面部１０１に円状に組み付けたこと、および側面部１０３の４枚のすべてに光ファイバー６０を設け、この光ファイバー６０の一端が発光部材３０の発光ダイオード５０に対して受光可能に配置された点にある。よって第１の実施の形態に係るドル箱１０と同一部分には同一符号を付して説明を省略する。
【００４２】
この第３の実施の形態に係るドル箱１０Ｂにあっても第１の実施の形態に係るドル箱１０や第２の実施の形態に係るドル箱１０Ａと同様、構造簡単で故障も少なくかつ発光による装飾効果を発揮することができる。
【００４３】
また、ドル箱１０Ｂの側面の全部が光るので装飾効果は非常に高いばかりか、隣の遊技者の認知効果も高まる。よって遊技者の満足度を一層高めることができる。
【００４４】
なお、底面部１０１に組み付けられる発光部材３０は円状でなく弧状であってもよい。
【００４５】
以上、本発明による遊技用媒体収納箱の好適な実施形態の構成及び作用効果を詳述した。
【００４６】
しかし、この実施形態は、本発明の単なる例示に過ぎず何ら本発明を限定するものではなく、本発明の要旨を逸脱することなく種々の変形変更が可能である。
【００４７】
例えば、この実施形態では、パチンコ球を収容するドル箱として開示したが、パチンコ式スロットのコインを収納する収納箱としても適用できる。
【００４８】
また、ドル箱等の遊技用収納箱に限らず、遊技媒体の計測器であるジェットカウンタの遊技媒体導入部に発光部材を設けても面白い。
【００４９】
ジェットカウンタは、遊技者が共通して使用するから、通常多くの遊技者が目にする箇所に設置されている。このため、ジェットカウンタが点灯すれば、遊技者の満足度を一層高めることができる。
【図面の簡単な説明】
【００５０】
【図１】本発明の第１の実施の形態に係る遊技用媒体収納箱を使用している状態での斜視図である。
【図２】図１の遊技用媒体収納箱の分解斜視図である。
【図３】発光部材の正面図である。
【図４】発光部材の側面図である。
【図５】本発明の第２の実施の形態に係る遊技用媒体収納箱の斜視図である。
【図６】本発明の第３の実施の形態に係る遊技用媒体収納箱の斜視図である。
【符号の説明】
【００５１】
１０  ドル箱（遊技用媒体収納箱）
１０Ａ ドル箱（遊技用媒体収納箱）
１０Ｂ ドル箱（遊技用媒体収納箱）
３０ 発光部材
３２ 埋設穴
４０ 圧電バイモルフ
５０ 発光ダイオード
６０ 光ファイバー
１０１ 底面部
１０３ 側面部
１０５ 取っ手
４００ パチンコ球（遊技用媒体）
【図１】
2006187512.tif 000003
【図２】
2006187512.tif 000004
【図３】
2006187512.tif 000005
【図４】
2006187512.tif 000006
【図５】
2006187512.tif 000007
【図６】
2006187512.tif 000008